(57)【要約】【課題】容量が大きくて、重量があっても、持ちやすく、注ぎやすい包装袋を提供する。【解決手段】重ね合わせた表裏のフィルムの周縁にシール部を設け、内部に内容物収納部１を設けた包装袋１００であって、天シール部４内に、内容物収納部とは別の独立充填室９と、独立充填室の下方に取っ手窓孔部１１とを設け、天シール部側の一隅に注出口（易切断線５）を設けた。また、注出口より反対側の隅部寄りの天シール部に広幅シール部８を設け、広幅シール部内に独立充填室と取っ手窓孔部を設けた。【選択図】図１
2014213887.tif 000002
【特許請求の範囲】
【請求項１】
重ね合わせた表裏のフィルムの周縁にシール部を設け、内部に内容物収納部を設けた包装袋であって、天シール部内に、前記内容物収納部とは別の独立充填室と、該独立充填室の下方に取っ手窓孔部とを設けたことを特徴とする包装袋。
【請求項２】
前記天シール部側の一隅に注出口を設けたことを特徴とする請求項１に記載の包装袋。
【請求項３】
前記一隅に設けた注出口より反対側の隅部寄りの前記天シール部に広幅シール部を設け、該広幅シール部内に前記独立充填室と前記取っ手窓孔部を設けたことを特徴とする請求項２に記載の包装袋。
【請求項４】
底部には底テープを２つ折りして折部を上にして差し込み、船底型に底シール部を形成したスタンディングパウチであることを特徴とする請求項１から３のいずれか１項に記載の包装袋。
【請求項５】
前記内容物収納部の容量が、１リットル以上であることを特徴とする請求項１から４のいずれか１項に記載の包装袋。
【発明の詳細な説明】
【技術分野】
【０００１】
本発明は、包装袋に関するものである。特に、重量のある内容物を充填しても、容易に吊り下げて持つことができる包装袋に関するものである。
【背景技術】
【０００２】
包装袋は、他の容器より省資源化できる点、また、使い終わった後は、減容化して廃棄することができる点などから、食品、調味料、あるいは、トイレタリー用品等の物品を収納するため、広く用いられている。
【０００３】
これら液体用の包装袋の多くは容量が２００ｍｌや３５０ｍｌ以下であったが、近年、詰め替え容器用として、あるいは、醤油などの調味料用に、１リットル以上の容量の包装袋も用いられるようになってきた。
【０００４】
このような大きな包装袋に液体の内容物を充填して用いると、持ちにくく、注ぎにくいといった問題があった。
【０００５】
一方、包装袋に内容物収納部とは別に、独立気室を設けた包装袋が有った。例えば、内容物の注出ハンドリング性を向上させた自立袋として、胴部を形成する外縁シール部内に、内容物収納部とは別の取っ手機能を有する独立気室が、取っ手窓穴部と一体化した形状で設けられている自立袋がある（特許文献１）。
【０００６】
この自立袋は、取っ手を手で掴んでも、容器内に収納された内容物には圧力が伝わらないために、中身の飛び出しが発生しない。そして、傾けたり、垂直にしたりする上で、非常に扱い易いという効果がある。
【０００７】
しかし、この自立袋では側部に独立気室と取っ手窓穴部が設けてあるために、袋が大きくなり、重量が重くなってくると持ち上げ辛くなってしまうという問題があった。
【０００８】
公知文献を以下に示す。
【先行技術文献】
【特許文献】
【０００９】
【特許文献１】特開２００６−３６２１３号公報
【発明の概要】
【発明が解決しようとする課題】
【００１０】
本発明は上記した事情に鑑みてなされたもので、容量が大きくて、重量があっても、持ちやすく、注ぎやすい包装袋を提供することを課題としている。
【課題を解決するための手段】
【００１１】
本発明の請求項１に係る発明は、重ね合わせた表裏のフィルムの周縁にシール部を設け、内部に内容物収納部を設けた包装袋であって、天シール部内に、前記内容物収納部とは別の独立充填室と、該独立充填室の下方に取っ手窓孔部とを設けたことを特徴とする包装袋である。
【００１２】
本発明の請求項２に係る発明は、前記天シール部側の一隅に注出口を設けたことを特徴とする請求項１に記載の包装袋である。
【００１３】
本発明の請求項３に係る発明は、前記一隅に設けた注出口より反対側の隅部寄りの前記天シール部に広幅シール部を設け、該広幅シール部内に前記独立充填室と前記取っ手窓孔部を設けたことを特徴とする請求項２に記載の包装袋である。
【００１４】
本発明の請求項４に係る発明は、底部には底テープを２つ折りして折部を上にして差し込み、船底型に底シール部を形成したスタンディングパウチであることを特徴とする請求項１から３のいずれか１項に記載の包装袋である。
【００１５】
本発明の請求項５に係る発明は、前記内容物収納部の容量が、１リットル以上であることを特徴とする請求項１から４のいずれか１項に記載の包装袋である。
【発明の効果】
【００１６】
本発明の包装袋は、容量が大きくて、重量があっても、持ちやすく、容易に注ぐことができる。
【図面の簡単な説明】
【００１７】
【図１】本発明の包装袋の一例を模式的に正面で示した説明図である。
【図２】本発明の包装袋の他の例を模式的に正面で示した説明図である。
【図３】（Ａ）、（Ｂ）、（Ｃ）本発明の包装袋の取っ手窓孔部の他の形状を示した説明図である。
【発明を実施するための形態】
【００１８】
以下、本発明を実施するための形態について説明する。
図１は、本発明の包装袋の一例を模式的に正面で示した説明図である。
【００１９】
本例の包装袋１００は、図１の正面図に示すように、表裏２枚のフィルムを重ね合わせ、周縁にシール部を設け、内部に内容物収納部１を設けた包装袋であって、底部には底テープ２を２つ折りして折部を上にして表裏２枚のフィルムの間に差し込み船底型に底シール部３を形成したスタンディングパウチである。
【００２０】
包装袋１００の天シール部４側の一隅には注出口を形成する易切断線５が、天シール部４から一方のサイドシール部６に向けて、斜め方向に一隅が切り取れるように設けられている。易切断線５は切断しやすく加工されていれば特に限定されないが、本例ではハーフカット線で設けられている。また、易切断線５に向けて切断が開始されやすいようにノッチ７が設けられている。
【００２１】
天シール部４には、広幅シール部８が設けられていて、広幅シール部８に内容物収納部１とは別の未シール部からなる独立充填室９が横方向に長く設けられている。独立充填室９には、充填孔１０が設けられていて、使用前に充填孔１０より独立充填室９の中に充填物を充填して膨らませた後、充填孔１０を塞ぐようにシールし膨らんだ状態に保持できるようになっている。
【００２２】
独立充填室９の下方には、取っ手窓孔部１１が設けられていて、ここに手を差し込んで、独立充填室９を持てるようになっている。本例では、取っ手窓孔部１１は、下方へ凸状の曲線の切れ込みにより設けられている。
【００２３】
表裏のフィルムや底テープは、外側の基材層と内側のシーラント層の積層フィルムからなっている。また、基材層とシーラント層の間にバリア層を設けることもできる。また、中間層を設けることもできる。
【００２４】
基材層としては、ポリエチレンテレフタレート（ＰＥＴ）、ポリエチレンナフタレ−ト（ＰＥＮ）、ポリブチレンテレフタレート（ＰＢＴ）などのポリエステル、ポリエチレン（ＰＥ）、ポリプロピレン（ＰＰ）、ポリスチレン（ＰＳ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリビニルアルコール（ＰＶＡ）、エチレン−ビニルアルコール共重合体（ＥＶＯＨ）、ポリエーテルスルフォン（ＰＥＳ）、ポリメチルメタクリレート（ＰＭＭＡ）などの延伸あるいは無延伸のフィルムを使用することができる。
【００２５】
シーラント層には、低密度ポリエチレン樹脂（ＬＤＰＥ）、中密度ポリエチレン樹脂（ＭＤＰＥ）、高密度ポリエチレン樹脂（ＨＤＰＥ）、直鎖状低密度ポリエチレン樹脂（ＬＬＤＰＥ）、ポリプロピレン樹脂（ＰＰ）、エチレン−プロピレン共重合体（ＥＰ）、エチレン−αオレフィン共重合体、エチレン−アクリル酸共重合体（ＥＡＡ）、エチレン−メタクリル酸共重合体（ＥＭＡＡ）、エチレン−メタクリル酸エステル共重合体、エチレン−アクリル酸エステル共重合体、アイオノマー樹脂、エチレン−酢酸ビニル共重合体（ＥＶＡ）などの樹脂、またはこれらの樹脂を成膜化したフィルムを使用することができる。
【００２６】
特に、直鎖状低密度ポリエチレン樹脂（ＬＬＤＰＥ）が好ましく使用することができる。また、シーラント層の厚みは、強度、加工性を考慮すると、１５〜２００μｍの範囲内であることが好ましく、３０〜１７０μｍの範囲内がより好ましい。
【００２７】
バリア層には、アルミニウム箔などの金属箔や、アルミニウムなどの金属蒸着層、あるいは、酸化アルミニウム、酸化珪素、酸化錫、酸化マグネシウム、などの無機酸化物蒸着層を設けることができる。
【００２８】
中間層には、基材層として挙げた延伸あるいは無延伸のフィルムの中から選択して使用することができる。これらの層を積層する方法としては、特に限定されない。通常用いられる、ドライラミネーションや押出しラミネーション（サンドイッチラミネーションを含む）により積層することができる。
【００２９】
また、印刷層をおもて面にあるいは前述の層と層の間に設けることができる。印刷方式も特に限定されることはなく、グラビア印刷やフレキソ印刷、あるいは、シルク印刷やインキジェット印刷などで行うことができる。
【００３０】
独立充填室９を膨らませる充填物には、空気や窒素ガスなどの気体が使用できる。また、水や油などの液体を使用することができる。更には、これらと共に無機粉末や発泡樹脂などの固体を充填することもできる。
【００３１】
注出口を形成する易切断線５は、半抜き加工でもできるが、最近は、製袋機にレーザ発生装置が搭載されているので、レーザによってハーフカット線を設けることが好ましい。
【００３２】
独立充填室９に設けられる充填孔１０は、製袋機上で、周縁をシールする前に、表フィルムや裏フィルムに抜き加工あるいは、レーザ加工によって設けることができる。また、製袋後に表フィルムと裏フィルムを貫通するように設けても良い。
【００３３】
取っ手窓孔部１１は、製袋機上で、周縁をシール後に、外形を断裁や打ち抜きにより形成するときに同時に打ち抜いて行うことができる。
【００３４】
以上のように、本例の包装袋１００は構成されているので、容量が大きく、１リットル以上あって、重量のある場合であっても、取っ手窓孔部１１に手を差し込んで、独立充填室９を持つことによって、包装袋１００を持ち上げて、注出口より注ぎだすことができる。この包装袋１００では、１０リットル位までの容量に対応できる。
【００３５】
また必要に応じて、もう一方の手で、包装袋１００の側面に添えて注ぎだすこともできる。また、図示しないが、更にサイドシール部にも独立充填室や取っ手窓孔部を設けても良い。これにより、両手で持って注ぐことができるので、片手で持つには重過ぎる場合であっても、容易に持ち上げて、注出口より注ぎだすことができる。
【００３６】
次に、本発明の包装袋の他の例について説明する。
図２は、本発明の包装袋の他の例を模式的に正面で示した説明図である。
【００３７】
本例の包装袋２００は、図２の正面図に示すように、表裏２枚のフィルムを重ね合わせ、周縁にシール部を設け、内部に内容物収納部１を設けた包装袋であって、底部には底テープ２を２つ折りして折部を上にして表裏２枚のフィルムの間に差し込み船底型に底シール部３を形成したスタンディングパウチである。
【００３８】
包装袋１００と異なる点は、天シール部４側の一隅には注出口を形成する易切断線５やノッチ７を設ける代わりに、斜めに切断して、注出口となる口栓１２が取り付けられている点である。それ以外は、包装袋１００と同様である。
【００３９】
口栓１２は、表裏のフィルムの間にシールして取り付けられている。そのため、口栓１２の少なくともシールする表面は、表裏のフィルムのシーラント層と熱融着可能な熱可塑性樹脂でできている。口栓１２の成形はこの熱可塑性樹脂を用いてインジェクション成形などで成形することができる。
【００４０】
以上のように、本例の包装袋２００は構成されているので、包装袋１００と同様に、容量が大きく、１リットル以上あって、重量のある場合であっても、取っ手窓孔部１１に手を差し込んで、独立充填室９を持つことによって、包装袋２００を持ち上げて、注出口より注ぎだすことができる。
【００４１】
また必要に応じて、もう一方の手で、包装袋の側面に添えて注ぎだすこともできる。また、図示しないが、更にサイドシール部にも独立充填室や取っ手窓孔部を設けても良い。これにより、両手で持って注ぐことができるので、片手で持つには重過ぎる場合であっても、容易に持ち上げて、注出口より注ぎだすことができる。
【００４２】
次に、取っ手窓孔部１１の他の形状について説明する。
図３（Ａ）、（Ｂ）、（Ｃ）は、本発明の包装袋の取っ手窓孔部の他の形状を示した説明図である。
【００４３】
取っ手窓孔部は、包装袋１００及び包装袋２００では、図１、図２のように、下方へ凸状の曲線の切れ込みにより設けられているが、図３（Ａ）のように、取っ手窓孔部１１ａを上方へ凸状の曲線の切れ込みにより設けることもできる。
【００４４】
また、取っ手窓孔部の端部からフィルムが裂けてしまうことを防止する端部裂け防止部を設けることもできる。すなわち、図３（Ｂ）のように、取っ手窓孔部１１ｂを曲線の切れ込みの端部を更に内方に丸めた形状にして、端部から裂けるのを防止したり、あるいは、図３（Ｃ）のように、切れ込みの端部に円形の切り抜きを設けた取っ手窓孔部１１ｃにして、端部から裂けるのを防止したりすることもできる。更には、図示しないが、楕円や角を取った長方形に抜いた抜き孔の取っ手窓孔部を設けても良い。
【実施例】
【００４５】
以下に、本発明の具体的実施例について説明する。
【００４６】
＜実施例１＞
アルミナ蒸着ポリエチレンテレフタレート延伸フィルム１２μｍの蒸着面に絵柄印刷を行い、絵柄印刷面にナイロン延伸フィルム２５μｍをドライラミネーションにより積層し、更に、ナイロン−６延伸フィルム面にシーラント層の直鎖状低密度ポリエチレン樹脂（ＬＬＤＰＥ）１５０μｍをドライラミネーションにより積層し、表裏のフィルム用の積層フィルムを作成した。
【００４７】
また、同様の層構成で、直鎖状低密度ポリエチレン樹脂（ＬＬＤＰＥ）の厚さを１００μｍとした底テープ用の積層フィルムを作成した。
【００４８】
作成した表裏のフィルム用の積層フィルムと底テープ用の積層フィルムを製袋用にスリットして製袋機に掛け、図２の包装袋２００を製袋した。
【００４９】
すなわち、表裏のフィルム用の積層フィルムを製袋機上でスリットし、表フィルムと裏フィルムにして、シーラント層面を対向して重ね合わせ、底部に２つ折りした底テープを差し込み、口栓１２を取り付ける部分と未シール部の独立充填室９以外の周縁シール部をヒートシールし、充填孔１０と取っ手窓孔部１１の切込みをパンチングにより設け、包装袋の外形状に打ち抜いて、口栓１２の付いていない包装袋を作成した。
【００５０】
別途、口栓１２を、ポリエチレンを用いてインジェクション成形により作成し、包装袋の未シールの口栓１２を取り付ける部分の表フィルムと裏フィルムの間に差し込み、ヒートシールして口栓を取り付けた。
【００５１】
また、充填孔１０より、空気を独立充填室９に送り込み、膨らませた状態で充填孔１０を密封するように、表フィルムと裏フィルムをヒートシールして、高さ２９０ｍｍで幅２１０ｍｍの口栓付スタンディングパウチ形状の実施例１の包装袋を作成した。
【００５２】
以下に、本発明の比較例について説明する。
【００５３】
＜比較例１＞
独立充填室９の部分をシールして、独立充填室９を設けず、また、取っ手窓孔部１１の切込みをパンチングで設けなかった以外は実施例１と同様にして、高さ２９０ｍｍで幅２１０ｍｍの口栓付スタンディングパウチ形状の比較例１の包装袋を作成した。
【００５４】
＜試験方法＞
実施例と比較例の包装袋にそれぞれ洗濯用液体柔軟剤２リットルを口栓部分より充填し、その持ちやすさと注ぎやすさを評価した。その結果を表１に示す。
【００５５】
【表１】
2014213887.tif 000003
以下に、実施例と比較例との比較結果について説明する。
【００５６】
＜比較結果＞
実施例１の包装袋は、取っ手窓孔部に手を差し込んで独立充填室を握ることができるので持ちやすく、また、片手で独立充填室を握り、反対の手を包装袋の側面に添えて注ぎだすことができるので注ぎやすい。
【００５７】
一方、比較例１の包装袋は、独立充填室９や取っ手窓孔部１１がないので、持ちにくく、注ぎにくい。
【００５８】
以上のように、本発明の包装袋は、容量が大きく、１リットル以上であって、重量が重い内容物を収納しても、持ちやすく、容易に注ぐことができる。そのため、洗濯用の洗剤や柔軟剤、シャンプー、リンス、ボディシャンプー、飲料水、調味料などで、容量の大きな用途に、好適に使用することができる。
【符号の説明】
【００５９】
１００、２００・・・包装袋
１・・・内容物収納部
２・・・底テープ
３・・・底シール部
４・・・天シール部
５・・・易切断線
６・・・サイドシール部
７・・・ノッチ
８・・・広幅シール部
９・・・独立充填室
１０・・・充填孔
１１、１１ａ、１１ｂ、１１ｃ・・・取っ手窓孔部
１２・・・口栓
【図１】
2014213887.tif 000004
【図２】
2014213887.tif 000005
【図３】
2014213887.tif 000006